(57)【要約】【課題】多忙な現場での実手洗い時間を考慮した、短時間の使用であっても十分な程度の高い殺菌性を発揮することができる、低温保存時での安定性に優れた皮膚殺菌洗浄剤組成物を提供すること。【解決手段】（ａ）成分：トリクロサン、イソプロピルメチルフェノール及びパラクロロメタキシレノールからなる群から選ばれる少なくとも１種の殺菌剤を０．０５〜２質量％、（ｂ）成分：炭素数４〜１２の炭化水素基を有するグリセリルエーテル、並びに（ｃ）成分：特定の構造を有するアニオン界面活性剤を０．５〜３５質量％含有し、さらに、（ｅ）成分：多価アルコール（但し（ｂ）成分を除く）を０．０５〜２３質量％含有する皮膚殺菌洗浄剤組成物であって、２５℃におけるｐＨが５．５以下である、皮膚殺菌洗浄剤組成物。【選択図】なし【特許請求の範囲】
【請求項１】
（ａ）成分：トリクロサン、イソプロピルメチルフェノール及びパラクロロメタキシレノールからなる群から選ばれる少なくとも１種の殺菌剤を０．０５〜２質量％、（ｂ）成分：炭素数４〜１２の炭化水素基を有するグリセリルエーテル、並びに（ｃ）成分：下記一般式（１）
Ｒ−Ｏ−（ＣＨ2ＣＨ2Ｏ）n−ＳＯ3Ｍ    （１）
（式中、Ｒは炭素数８〜１６の炭化水素基であり、ｎは平均付加モル数を示し、ｎ＝０〜３であり、Ｍはアンモニウムイオン、アルカリ金属イオン、アルカリ土類金属イオン、又はアルカノールアンモニウムイオンである。）で示されるアニオン界面活性剤を０．５〜３５質量％含有し、さらに、（ｅ）成分：多価アルコール（但し（ｂ）成分を除く）を０．０５〜２３質量％含有する皮膚殺菌洗浄剤組成物であって、２５℃におけるｐＨが５．５以下である、皮膚殺菌洗浄剤組成物。
【請求項２】
（ｃ）成分と（ｂ）成分との質量比が（ｃ）／（ｂ）＝０．９／１〜１５／１である、請求項１に記載の組成物。
【請求項３】
（ｄ）成分：安息香酸塩、ソルビン酸塩、プロピオン酸塩、サリチル酸塩及びデヒドロ酢酸塩からなる群から選ばれる少なくとも１種の化合物をさらに含有する、請求項１又は２に記載の組成物。
【請求項４】
該組成物（２５℃）のｐＨが３．０〜５．５である、請求項１〜３のいずれか１項に記載の組成物。
【請求項５】
ハンドソープ、ボディーシャンプー又はヘアーシャンプーに用いられる、請求項１〜４のいずれか１項に記載の組成物。
【発明の詳細な説明】
【技術分野】
【０００１】
本発明は、短時間の使用であっても高い殺菌効果を発揮する皮膚殺菌洗浄剤組成物に関する。
【背景技術】
【０００２】
近年、病院、介護施設、食品加工現場及び厨房等において、手指を介して病原菌が伝播感染することを防止する目的で、手洗いの励行が推進されている。このような現場においては、より確実に皮膚の殺菌洗浄を行うために、各種の皮膚殺菌洗浄剤組成物が用いられている。例えば、皮膚（手指）殺菌洗浄料中の殺菌剤を配合した組成物や、エタノールなどの殺菌効果の高い溶剤を配合した組成物がある。
【０００３】
特許文献１では、特定のアニオン界面活性剤とトリクロサン、イソプロピルフェノール及び／又はパラクロロキシレノールとの併用により高い殺菌効果が得られ、第三成分としてグリセリルエーテルを含有することにより起泡性、低温安定性に優れる液体殺菌洗浄剤組成物を提案している。
【０００４】
また、特許文献２では、物品の表面を殺菌するために、２５℃以上の温度でグリセリルエーテルを含有する混合物を使用することを提案している。
【先行技術文献】
【特許文献】
【０００５】
【特許文献１】特開２００８−１３８０２７号公報
【特許文献２】特開２００４−３１５５３７号公報
【発明の概要】
【発明が解決しようとする課題】
【０００６】
上記のような現場では、作業者は多忙なことが多く、手洗いに長い時間を割くことは実用的でない。
【０００７】
短時間で確実に皮膚の殺菌洗浄を行うためには、例えば種々の有効成分の含有量を高めるという方法がある。しかしながら、有効成分の含有量を高めると、特に低温保存時での組成物の安定性が低下する傾向がある。流通過程において低温保存されることは普通に行われるため、組成物の安定性が低下して、例えば結晶の析出や分離が生じると、使用時に所望の効果が発揮されないおそれがある。
【０００８】
従って本発明の課題は、多忙な現場での実手洗い時間を考慮した、短時間の使用であっても十分な程度の高い殺菌性を発揮することができる、低温保存時での安定性に優れた皮膚殺菌洗浄剤組成物を提供することである。
【課題を解決するための手段】
【０００９】
そこで本発明者らは、皮膚殺菌洗浄剤組成物に関する種々の要素について検討した結果、皮膚殺菌洗浄剤組成物のｐＨを中性域から敢えてｐＨが５．５以下の酸性域に変更することによって、意外にもより短時間で十分な殺菌性が発揮されることを見出し、さらに、多価アルコールを組成物に配合することによって、意外にも殺菌性を低下させることなく、組成物の低温保存時の安定性を向上できることを見出し、本発明を完成させた。
【００１０】
即ち、本発明の要旨は、
〔１〕（ａ）成分：トリクロサン、イソプロピルメチルフェノール及びパラクロロメタキシレノールからなる群から選ばれる少なくとも１種の殺菌剤を０．０５〜２質量％、（ｂ）成分：炭素数４〜１２の炭化水素基を有するグリセリルエーテル、並びに（ｃ）成分：下記一般式（１）
Ｒ−Ｏ−（ＣＨ2ＣＨ2Ｏ）n−ＳＯ3Ｍ    （１）
（式中、Ｒは炭素数８〜１６の炭化水素基であり、ｎは平均付加モル数を示し、ｎ＝０〜３であり、Ｍはアンモニウムイオン、アルカリ金属イオン、アルカリ土類金属イオン、又はアルカノールアンモニウムイオンである。）で示されるアニオン界面活性剤を０．５〜３５質量％含有し、さらに、（ｅ）成分：多価アルコール（但し（ｂ）成分を除く）を０．０５〜２３質量％含有する皮膚殺菌洗浄剤組成物であって、２５℃におけるｐＨが５．５以下である、皮膚殺菌洗浄剤組成物；並びに
〔２〕ハンドソープ、ボディーシャンプー又はヘアーシャンプーに用いられる、前記〔１〕に記載の組成物；に関するものである。
【発明の効果】
【００１１】
本発明の皮膚殺菌洗浄剤組成物は、洗浄性の効果を有し、かつ短時間の使用であっても高い殺菌性を発揮するという優れた効果を奏する。しかも、組成物を低温保存した場合でも、高い安定性が確保されているという優れた効果を有する。本発明品の使用形態としては組成物を希釈せず原液のまま皮膚殺菌洗浄剤組成物として使用すること、及び、希釈して使用することも可能である。
【発明を実施するための形態】
【００１２】
＜（ａ）成分＞
本発明に用いられる（ａ）成分は、トリクロサン、イソプロピルメチルフェノール及びパラクロロメタキシレノールからなる群から選ばれる少なくとも１種の殺菌剤である。本発明の皮膚殺菌洗浄剤組成物中の（ａ）成分の含有量は、０．０５〜２質量％が好ましく、０．３〜１．２質量％がより好ましい。殺菌効果を十分に発揮させる観点から、当該含有量は０．０５質量％以上が好ましく、組成物の安定性を確保する観点から、当該含有量は２質量％以下が好ましい。
【００１３】
また、これらの殺菌剤は殺菌性能の点から２種併用するのが好ましく、原料臭の点からトリクロサンとイソプロピルフェノールとを併用することがより好ましい。この場合、トリクロサン／イソプロピルフェノール＝５／１〜１／３（質量比）が好ましく、４／１〜１／３（質量比）がより好ましく、３／１〜１／２（質量比）がさらに好ましい。
【００１４】
＜（ｂ）成分＞
本発明に用いられる（ｂ）成分は、炭素数４〜１２の炭化水素基、好ましくは、直鎖若しくは分岐鎖のアルキル基又はアルケニル基を有するグリセリルエーテルであり、炭素数８〜１２の直鎖又は分岐鎖のアルキル基を有するモノアルキル体が好ましい。
【００１５】
当該アルキル基としては、例えば、ｎ−オクチル基、２−エチルヘキシル基、ｎ−ノニル基、ｎ−デシル基、イソデシル基、ｎ−ウンデシル基、ｎ−ドデシル基が挙げられ、好ましくは、炭素数８〜１２のアルキル基であり、具体的には２−エチルヘキシル基、イソデシル基が挙げられる。
【００１６】
グリセリルエーテルの具体例としては、２−エチルヘキシルグリセリルエーテル、イソデシルグリセリルエーテル等が挙げられる。（ｂ）成分のグリセリルエーテルは、１種を単独で用いてもよく、又は２種以上を組み合わせて用いてもよい。
【００１７】
皮膚殺菌洗浄剤組成物に（ｂ）成分を配合することによって、洗浄剤組成物の油脂汚れに対する洗浄効果を低下させることなく、大腸菌等の細菌に対する殺菌効果をより一層発揮させるという効果が奏される。
【００１８】
皮膚殺菌洗浄剤組成物中の（ｂ）成分の含有量は、０．２〜２３質量％が好ましく、１〜２１質量％がより好ましく、１．２〜２０質量％がさらに好ましい。油脂汚れに対する洗浄効果を低下させることなく、大腸菌等の細菌に対する殺菌効果を発揮させる観点から、当該含有量は０．２質量％以上が好ましく、製品安定性の観点から、当該含有量は２３質量％以下が好ましい。
【００１９】
＜（ｃ）成分＞
本発明の皮膚殺菌洗浄剤組成物における（ｃ）成分は、下記一般式（１）
Ｒ−Ｏ−（ＣＨ2ＣＨ2Ｏ）n−ＳＯ3Ｍ    （１）
（式中、Ｒは炭素数８〜１６の炭化水素基であり、飽和又は不飽和の炭素数８〜１６の脂肪族基が好ましく、ｎは平均付加モル数を示し、ｎ＝０〜３であり、Ｍはアンモニウムイオン、アルカリ金属イオン、アルカリ土類金属イオン、又はアルカノールアンモニウムイオンである。）で示されるアニオン界面活性剤である。Ｒの炭素数としては、１０〜１６が好ましい。平均付加モル数ｎとしては０〜３のものが用いられるが、殺菌性能の観点から、０〜１が好ましい。また、Ｍで示される対イオンとしては、アンモニウムイオン、アルカリ金属イオン、アルカリ土類金属イオン、又はアルカノールアンモニウムイオンであるが、具体的には、アンモニウムイオン、ナトリウムイオン、カリウムイオン、リチウムイオン、カルシウムイオン、トリエタノールアンモニウムイオン、ジエタノールアンモニウムイオン、モノエタノールアンモニウムイオンが挙げられる。殺菌性能の観点からアンモニウムイオンが好ましい。
【００２０】
具体的な（ｃ）成分としては、ポリオキシエチレン（０）アルキルエーテル硫酸トリエタノールアミン（アルキル硫酸トリエタノールアミン）、ポリオキシエチレン（０）アルキルエーテル硫酸アンモニウム（アルキル硫酸アンモニウム）、ポリオキシエチレン（０）アルキルエーテル硫酸ナトリウム（アルキル硫酸ナトリウム）、ポリオキシエチレン（１）アルキルエーテル硫酸トリエタノールアミン、ポリオキシエチレン（１）アルキルエーテル硫酸アンモニウム、ポリオキシエチレン（２）アルキルエーテル硫酸アンモニウム、ポリオキシエチレン（２）アルキルエーテル硫酸ナトリウム等が挙げられ、泡立ちと殺菌性能、皮膚刺激性の観点から、ポリオキシエチレン（１）アルキルエーテル硫酸トリエタノールアミン及びポリオキシエチレン（１）アルキルエーテル硫酸アンモニウムが好ましい。なお、本明細書において、これらの化合物のかっこ内の数値はエチレンオキシドの平均付加モル数を意味する。（ｃ）成分として、これらの化合物の一種類を単独で用いてもよく、又は複数の種類を組み合わせて用いてもよい。
【００２１】
本発明の皮膚殺菌洗浄剤組成物中の（ｃ）成分の含有量は０．５〜３５質量％であり、３〜３２質量％が好ましく、１５〜３０質量％がより好ましい。起泡性、洗浄性を十分に発揮させる観点から、当該含有量は０．５質量％以上が好ましく、組成物の輸送効率の観点から１５質量％以上が好ましく、（ａ）成分による殺菌効果を十分に発揮させる観点と本発明の組成物の低温保存安定性から、当該含有量は３５質量％以下が好ましい。
【００２２】
（ｃ）成分と（ｂ）成分との質量比としては、（ｃ）／（ｂ）＝０．９／１〜１５／１が好ましく、１／１〜１２／１がより好ましく、１／１〜１０／１がさらに好ましい。油脂汚れに対する洗浄効果を低下させることなく、低温保存時の製品安定性を確保する観点から、当該質量比は０．９／１以上が好ましく、大腸菌等の細菌に対する殺菌効果を発揮させる観点から、当該質量比は１５／１以下が好ましい。
【００２３】
（ｃ）成分と（ａ）成分の質量比としては殺菌効果を十分に発揮させる観点から、（ｃ）／（ａ）＝１００／１０〜１０００／５が好ましく、１００／１０〜１００／２がより好ましい。
【００２４】
＜（ｅ）成分＞
本発明品においては（ｅ）成分として、（ｂ）成分を除く多価アルコールを含有する。即ち、一般的に多価アルコールとして扱われる化合物の中で（ｂ）成分に該当する化合物は、本明細書では（ｅ）成分ではなく（ｂ）成分とする。多価アルコールとしては、炭素数は２〜６が好ましく、価数は２〜６価が好ましい。具体的には、プロピレングリコール、ジプロピレングリコール、１，３−ブチレングリコール、グリセリン、ソルビトールなどが好ましく、更にジプロピレングリコール、１，３−ブチレングリコールが好ましい。（ｅ）成分の多価アルコールとしては、１種を単独で用いてもよく、又は２種以上を組み合わせて用いてもよい。（ｅ）成分の含有量としては０．０５〜２３質量％であり、０．１〜２０質量％が好ましく、０．５〜１５質量％がより好ましい。殺菌性を低下させることなく低温保存時の製品の安定性を向上し、（ａ）、（ｂ）、（ｃ）、後述する（ｄ）成分の濃度を高くできる観点から０．０５質量％以上が好ましく、低温保存安定性の観点から２３質量％以下が好ましい。
【００２５】
＜皮膚殺菌洗浄剤組成物＞
本発明の皮膚殺菌洗浄剤組成物は、水を媒体とする液状であることが望ましい。水の量は、各成分の量に応じて適宜設定することができる。
【００２６】
本発明の皮膚殺菌洗浄剤組成物（２５℃）のｐＨは５．５以下である。ｐＨは、本発明の皮膚殺菌洗浄剤組成物の原液（２５℃）を測定することによって求めることができる。従来の皮膚殺菌洗浄剤組成物の多くは、皮膚に対する刺激を抑制する観点から、そのｐＨを中性域（例えば６〜８）としているが、本発明においては、組成物のｐＨを敢えて５．５以下に低下させることによって、組成物の殺菌性能のさらなる向上を図っている。皮膚殺菌洗浄剤組成物を酸性域とすることにより、皮膚に対する悪影響（刺激感や手あれ等）が生じることも考えられるが、本発明の皮膚殺菌洗浄剤組成物は殺菌性能に優れているので、本発明の組成物の短時間の使用で十分な殺菌性能を発揮することができ、結果的にかかる悪影響を大きく緩和することができる。
【００２７】
本発明の皮膚殺菌洗浄剤組成物（２５℃）のｐＨは、殺菌性向上と皮膚への低刺激とを両立させる観点から、３．０〜５．５が好ましく、３．５〜５．２がより好ましく、４．０〜５．０がさらに好ましい。殺菌性の観点から５．５以下が好ましく、５．２以下がより好ましく、５．０以下がさらに好ましい。刺激性の観点から３．０以上が好ましく、３．５以上がより好ましく、４．０以上がさらに好ましい。
【００２８】
本発明の皮膚殺菌洗浄剤組成物（２５℃）のｐＨを５．５以下とすることにより、短時間の使用であっても高い殺菌性を確保できるというメカニズムについて、詳細は明らかではないが、殺菌剤成分が系中のグリセリルエーテルにより菌体表面へ吸着し作用する際、ｐＨが殺菌剤の菌体内部への浸透性に何らかの影響を及ぼしているのではないかと想定される。
【００２９】
本発明の皮膚殺菌洗浄剤組成物のｐＨを所望の範囲に調整するために用いられるｐＨ調整剤としては、本発明の技術分野において公知のｐＨ調整剤が挙げられるが、クエン酸、リンゴ酸、酒石酸などのヒドロキシ酸が好ましい。
【００３０】
＜（ｄ）成分＞
本発明においては、（ｄ）成分として、安息香酸塩、ソルビン酸塩、プロピオン酸塩、サリチル酸塩及びデヒドロ酢酸塩からなる群から選ばれる少なくとも１種以上の化合物をさらに含有することが好ましく、安息香酸塩を含有することがより好ましい。（ｄ）成分の含有量としては、本発明の皮膚殺菌洗浄剤組成物の０．０１〜２．５質量％が好ましく、０．０５〜１．７５質量％がより好ましく、０．１〜１質量％がさらに好ましい。殺菌効果を十分に発揮させる観点から、当該含有量は０．０１質量％以上が好ましく、組成物の安定性を確保する観点から、当該含有量は２．５質量％以下が好ましい。塩としては、ナトリウム塩、カリウム塩等のアルカリ金属塩が好ましい。（ｄ）成分の化合物としては、１種を単独で用いてもよく、又は２種以上を組み合わせて用いてもよい。
【００３１】
（ｄ）成分を含むことにより、本発明の皮膚殺菌洗浄剤組成物の殺菌性能がさらに向上する点についてのメカニズムは明らかではないが、本発明の組成物のｐＨがより低くなるほど、（ｄ）成分においては非解離型分子の割合が増加するものと考えられ、本発明の組成物（２５℃）のｐＨが５．５以下となった時に、この非解離型分子が、（ａ）成分、（ｂ）成分及び／又は（ｃ）成分による殺菌性能に何らかの寄与をするものと推定される。
【００３２】
さらに本発明の皮膚殺菌洗浄剤組成物は、通常の皮膚殺菌洗浄剤組成物に用いられる成分、例えばエタノール等の低級アルコール類；グアーガム等の植物由来の多糖類；キサンタンガム等の微生物由来の多糖類；ヒドロキシプロピルセルロース、カルボキシメチルセルロース等のセルロース類；染料、顔料等の着色剤；塩化ナトリウム、硫酸ナトリウム等の無機塩類；植物エキス類；防腐剤；ＥＤＴＡ等のキレート剤；ビタミン剤；香料；グリチルリチン酸ジカリウム等の抗炎症剤；ＢＨＴ等の酸化防止剤；天然セラミド、合成セラミド等のセラミド類似体等の保湿剤等を、本発明の効果を損なわない範囲で含有してもよい。
【００３３】
本発明の皮膚殺菌洗浄剤組成物は、通常使用されている容器に充填して使用することが可能であるが、フォーマー容器に充填することにより、起泡性が良く、泡の安定性も良好となるため、フォーマー容器に充填することがより好ましい。前記は原液使用の場合の条件を示している。希釈使用の場合は、希釈液をフォーマー容器に充填することがより好ましい。
【００３４】
本発明の皮膚殺菌洗浄剤組成物は常法に従って製造することができる。例えば（ｂ）成分に（ａ）成分を溶解させた後、（ｃ）成分、水、（ｄ）成分、（ｅ）成分を添加し、ｐＨ調整剤で皮膚殺菌洗浄剤組成物（２５℃）のｐＨが５．５以下になるように製造することができる。各成分の配合量は、上記の各成分の含有量の記載をそのまま配合量の記載として適用することができる。
【００３５】
さらに本発明の皮膚殺菌洗浄剤組成物は、身体用の液体殺菌洗浄剤として、例えばハンドソープ等の手指用の洗浄剤、ボディーシャンプー及びヘアーシャンプーとして用いられるのが好ましく、ハンドソープ等の手指用の洗浄剤として用いられるのがより好ましく、その適用現場として、病院、介護施設、厨房用途に用いられることが、さらに好ましい。
【実施例】
【００３６】
以下、実施例を挙げてさらに詳細に説明する。なお、以下の実施例等における各成分の含有量は有効分を基準として、表１及び表２に質量％で示した。なお、表中の成分比率（ｃ成分／ｂ成分、ｃ成分／ａ成分）の数値については、分母（／１）を省略して記載した。
【００３７】
【表１】
2011256301.tif 000002
【００３８】
【表２】
2011256301.tif 000003
【００３９】
各表中の（ｃ）成分は次のとおりである。
１：ラウリル硫酸アンモニウム
２：ラウリル硫酸トリエタノールアミン
３：ポリオキシエチレン（１）アルキル（Ｃ10〜Ｃ16）エーテル硫酸アンモニウム
４：ポリオキシエチレン（１）アルキル（Ｃ10〜Ｃ16）エーテル硫酸トリエタノールアミン
５：ポリオキシエチレン（２）アルキル（Ｃ10〜Ｃ16）エーテル硫酸アンモニウム
６：ポリオキシエチレン（２）アルキル（Ｃ10〜Ｃ16）エーテル硫酸ナトリウム
【００４０】
（殺菌効果の試験方法と評価基準）
供試菌として、大腸菌(Escherichia coli NBRC3972)と黄色ブドウ球菌(Staphylococcus aureus NBRC13276)を用いた。予め、ＳＣＤ培地〔日本製薬（株）製〕にて前培養した培養液を準備した。培養液０．１ｍＬ（１０9〜１０10ｃｅｌｌ／ｍＬ）を、滅菌水で所定の濃度（組成物希釈倍率×３、×１０、×４０）に希釈された２ｍＬの各組成物の希釈溶液に接種した。一定時間（１５秒、３０秒）毎に、各希釈溶液から一白金耳をとり、１ｍＬの生育用液体培地（ＳＣＤＬＰ培地〔日本製薬（株）製〕）に接種した。生育用液体培地を３７℃で２４時間培養した後、菌の生育の有無を観察した。
【００４１】
菌の生育の有無の判定は目視で行った。即ち、培養後の培地に濁りが見られた場合、菌が生育したと判定した。一種類の皮膚殺菌洗浄剤組成物につき、３つの希釈濃度と２つの接触時間で殺菌効果の試験を行ったため、合計６の生育用培地に対して目視判定を行った。殺菌効果の判定は、菌の生育が認められなかった生育用培地の個数に応じて次のように行った。菌の生育が全く認められなかった場合（即ち、６の生育用培地の全てについて全く菌の生育が認められなかった場合）を最高点（満点）の６とし、全希釈濃度、全反応時間の生育用培地の全てについて菌の生育が認められた場合を最低点の０とした。即ち、０〜６の間で値が高いほど、当該皮膚殺菌洗浄剤組成物の殺菌効果が高いことを意味する。結果については、一試料について三回試験を行い、得られた値の平均値を殺菌性能として示した。
【００４２】
（洗浄効果の試験方法と評価基準）
下記の試料１及び試料２を油脂汚れのモデルとした。
試料１の油脂試料を０．５ｍＬ取り、掌に均一に塗布した。各組成物の１ｍＬで手を洗い（洗浄、すすぎ各１５秒、水温約３０℃、水道水、水量一定）油脂試料の残留感触により以下のように評価した。続いて試料２も同様な方法で評価した。
【００４３】
試料１：スクアラン（深海鮫肝臓抽出油）、試薬、〔東京化成工業（株）製〕
試料２：綿実油、試薬、〔関東化学（株）製〕
【００４４】
洗浄効果の評価は５名のパネラーが行った。パネラーには、全ての組成物について、手洗い操作を同様に行うように指示し、各組成物のどれが本発明品でどれが比較品に該当するかを知らせなかった。油脂汚れが完全に落ちた場合を５とし、全く落ちなかったものを１として、１〜５の間の整数で洗浄効果を官能評価した。値が高いほど当該組成物の油脂汚れに対する洗浄効果が高いことを意味する。数値は試料１と試料２の平均値で判定した。
【００４５】
（製品の低温保存時の安定性試験方法と評価基準）
表１、２記載の組成物を無色透明のガラス容器（容量１００ｍＬ）に入れ、５℃で６０日間保存し、製造直後と３０日間保存後、６０日間保存後、比較した時の外観を、以下の基準で評価とした。
【００４６】
３：６０日目に到達しても結晶析出を認めず、固化していない。また分離を認めない。
２：３１日目〜６０日目までに結晶析出、固化及び分離のいずれかを認める。
１：３０日目までに結晶析出、固化及び分離のいずれかを認める。
【００４７】
実施例１及び比較例１
表１及び表２に示す組成の組成物を常法に従い調製し、殺菌効果の試験と洗浄効果の試験および低温保存時の安定性試験を行った。殺菌効果および低温保存時の安定性の試験の結果を表１及び表２に示す。本発明品、比較品の洗浄効果は、比較品４の評価値が２になる以外は、４〜５の範囲であり、これらの組成物は優れた洗浄効果を発揮することが示された。
【００４８】
このように、本発明品は実手洗いを想定した極めて短時間（例えば１５秒以内）の接触で、大腸菌及び黄色ブドウ球菌を効果的に殺滅していることが分かった。
【００４９】
一方、比較品を検討すれば、（ａ）成分、（ｂ）成分、（ｃ）成分及び（ｅ）成分のいずれかを含有しない場合又はいずれかが所定の含有量未満の場合、殺菌効果が十分ではない結果（比較品１及び２）、あるいは低温保存時の安定性が十分ではない結果（比較品３、５及び６）となった。（ｃ）成分又は（ｅ）成分の含有量が所定の量を超えた場合も、低温保存時の安定性が十分ではなかった（比較品４及び７）。ｐＨが所定の範囲を越えた場合も、殺菌効果が十分ではなかった（比較品８）。
【００５０】
さらに、本発明品２、７及び８と比較品５〜７とを比較すると、（ｅ）成分の含有量が所定の範囲を満足する場合、殺菌効果も低温保存時の安定性も十分な効果が得られたが（本発明品２、７及び８）、（ｅ）成分を配合しない場合（比較品５）、（ｅ）成分の含有量が過少な場合（比較品６）及び（ｅ）成分の含有量が過剰な場合（比較品７）のいずれの場合においても、低温保存時の安定性が十分ではなかった。このことから、所定量の（ｅ）成分を配合することで、殺菌効果を低下させることなく組成物の低温保存時の安定性を向上できることが実証できた。
【００５１】
実施例２  （ハンドソープ）
以下に示す組成のハンドソープを常法により製造した。得られたハンドソープの液（２５℃）のｐＨは５．０（２５℃）であり、洗浄性に優れかつ殺菌効果の高いものであった。さらに、５名のパネラーが、２週間かけて通常用いるようにして手指を洗浄したところ、全てのパネラーが、刺激感や手あれは生じなかったと回答した。
【００５２】
・ポリオキシエチレン（１）アルキル（Ｃ10〜Ｃ16）エーテル硫酸アンモニウム：５．０（質量％）
・２−エチルヘキシルグリセリルエーテル：２．０（質量％）
・トリクロサン：０．３（質量％）
・イソプロピルメチルフェノール：０．１（質量％）
・プロピレングリコール：５．０（質量％）
・安息香酸ナトリウム：０．３（質量％）
・ｐＨ調整剤（クエン酸）：適量（ハンドソープがｐＨ５．０となる量）
・精製水：バランス
・合計：１００（質量％）
【産業上の利用可能性】
【００５３】
本発明の皮膚殺菌洗浄剤組成物は、殺菌剤を増量することなく、短い使用時間で高い殺菌効果が奏されるため、病院、介護施設、食品加工現場及び厨房等の現場での使用に好適に適用し得る。